(57)【要約】【課題】ＬＣＤの設置方向を上下逆さにして再生装置等を取り付け可能な空きスペースをＬＣＤの背面上端部に形成し、且つ新たなプリント基板を追加すること無く上下反転して表示することができる液晶表示装置を提供する。【解決手段】ＣＯＦｇｄ１、ｇｄ２、…、ｇｄｍのそれぞれには、信号ラインＳＬ、ＣＬ、およびＲＬが形成されている。そして、信号ラインＳＬ、ＣＬ、およびＲＬは、コントローラ４に接続されている。信号ラインＣＬは、ゲート用のクロック信号ＣＰＶを伝搬するためのラインである。信号ラインＲＬは、コントローラ４とゲートドライバＧＤｍとを直接連結するラインであり、スタートパルス信号ＳＴＶをゲートドライバＧＤｍへ直接伝搬する。信号ラインＳＬは、ゲートドライバＧＤｍに入力したスタートパルス信号ＳＴＶを、ゲートドライバＧＤｍからゲートドライバＧＤ１の方向へ伝搬するためのラインである。【選択図】  図４
2010286529.tif 000002
【特許請求の範囲】
【請求項１】
複数のゲートラインと複数のソースラインと前記両ラインに囲まれた複数の画素とを含む液晶パネルと、
前記液晶パネルの複数のゲートラインを駆動する複数のゲートドライバＩＣと、
前記液晶パネルの複数のソースラインを駆動する複数のソースドライバＩＣと、
全ゲートラインを１ラインずつ順次駆動して１ライン分のトランジスタ素子をオン状態にするよう前記ゲートドライバＩＣに指示し、オンされた前記トランジスタ素子を介して各画素に前記１ライン分の画像データを書き込むよう前記ソースドライバＩＣに指示するタイミングコントローラと、を備え、
前記タイミングコントローラは、前記液晶パネルの背面側下端部に配置されたプリント基板に実装されており、
前記複数のソースドライバＩＣは、前記液晶パネルの背面側下端部に配置された第一のフレキシブルプリント基板に実装されており、
前記複数のゲートドライバＩＣは、第二のフレキシブルプリント基板に実装されている、液晶表示装置において、
前記第二のフレキシブルプリント基板には、前記複数のゲートドライバＩＣをカスケードに接続する第一信号ラインと、全ゲートドライバＩＣの内、カスケード接続の終端位置にある終端ゲートドライバＩＣと前記タイミングコントローラとを直接連結する第二信号ラインと、が形成されており、
前記タイミングコントローラは、先頭のゲートラインをオンさせる１フレームの開始タイミングを示すスタートパルス信号を前記第二信号ラインを介して前記終端ゲートドライバＩＣに出力することを特徴とする液晶表示装置。
【請求項２】
前記第二のフレキシブルプリント基板には、全ゲートドライバＩＣの内、カスケード接続の始端位置にある始端ゲートドライバＩＣから前記終端ゲートドライバＩＣの方向へ、トランジスタ素子をオン状態にするゲートラインをシフトさせるタイミングを示すシフト信号を、伝播する第三信号ラインが形成されていることを特徴とする請求項１に記載の液晶表示装置。
【請求項３】
前記第一信号ラインは、前記終端ゲートドライバＩＣに入力された前記スタートパルス信号を、前記終端ゲートドライバＩＣから前記始端ゲートドライバＩＣの方向へ伝播するラインであることを特徴とする請求項２に記載の液晶表示装置。
【発明の詳細な説明】
【技術分野】
【０００１】
本発明は、液晶テレビジョン等の液晶表示装置に関するものである。
【背景技術】
【０００２】
近年、液晶テレビジョン等の液晶表示装置が広く一般に普及している。以下、液晶テレビジョンの基板配置について説明する。
【０００３】
図１は、従来の液晶テレビジョンの背面内部における基板配置図である。ＬＣＤ（液晶ディスプレイ）モジュールの背面には、ディジタル基板Ａと、電源基板Ｂと、インバータ基板Ｃと、プリント基板ＸＲ、ＸＬとが配置されている。
【０００４】
電源基板Ｂは、商用のＡＣ電源電圧をＤＣ電源電圧に変換し、そのＤＣ電源電圧に基づいて各種電源電圧を生成し、ディジタル基板Ａとインバータ基板Ｃ等の各回路に電源電圧を各ケーブルを介して供給する。ここで、ディジタル基板Ａは、電源基板Ｂとケーブル３２を介して接続されている。また、プリント基板ＸＲ、ＸＬは、互いにケーブル４３を介して接続されており、プリント基板ＸＬは、ディジタル基板Ａとケーブル４２を介して接続されている。また、インバータ基板Ｃは、電源基板Ｂとケーブル３１を介して接続されている。電源基板Ｂで生成された電源電圧は、ケーブル３２とディジタル基板Ａとケーブル４２とを経由してプリント基板ＸＬに入力する。さらに、この電源電圧は、プリント基板ＸＬからケーブル４３を介してプリント基板ＸＲにも入力する。そして、この電源電圧は、プリント基板ＸＲ、ＸＬからＣＯＦ（チップオンフィルム）群Ｘに、ＣＯＦ群Ｘの内の右端のＣＯＦから液晶セルに形成された配線を介してＣＯＦ群Ｙに、それぞれ供給される。
【０００５】
ディジタル基板Ａは、アンテナを介して受信されるテレビ放送信号から、選択されているチャンネルのテレビ放送信号をチューナ１０で抽出する。さらに、ディジタル基板Ａは、テレビ放送信号から映像信号と音声信号の分離を映像信号処理回路で行う。ディジタル基板Ａは、分離されたディジタルの音声信号をアナログの音声信号にＤ／Ａ変換し、スピーカから音声出力させる。また、ディジタル基板Ａは、同映像信号処理回路において、分離された映像信号に基づいてＬＣＤの１画面分の画像データを生成し、その画像データに基づいてパネル駆動信号を生成する。ディジタル基板Ａは、生成したパネル駆動信号をケーブル４２を介してプリント基板ＸＬに出力する。このパネル駆動信号は、プリント基板ＸＬからケーブル４３を介してプリント基板ＸＲにも入力する。
【０００６】
プリント基板ＸＲ，ＸＬは、ＬＣＤの背面上端部に配置されている。プリント基板ＸＲ，ＸＬは、液晶パネルの縦方向に形成された複数本のソースラインを駆動する複数のソースドライバＩＣを搭載したＣＯＦ群Ｘと接続している。ＣＯＦ群Ｘの内の右端のＣＯＦは、液晶パネルの横方向に形成された複数本のゲートラインを駆動する複数のゲートドライバＩＣを搭載したＣＯＦ群Ｙと接続している。ＣＯＦ群Ｘ及びＣＯＦ群Ｙは、画素の配列により構成されたＬＣＤの各画素をパネル駆動信号に基づいて駆動し、ＬＣＤの画面に画像データに基づく映像を表示させる。
【０００７】
以上が従来の液晶表示装置の基板配置に関する説明である。
なお、特許文献１では、左右反転表示可能とした液晶表示装置が提案されている。
【先行技術文献】
【特許文献】
【０００８】
【特許文献１】特開平６−１６０８０３公報
【発明の概要】
【発明が解決しようとする課題】
【０００９】
上記従来の液晶表示装置において、ＤＶＤ等のメディアからデータを読み取って再生する再生装置等をＬＣＤの背面上端部に取り付けたいという業界の要望がある。
【００１０】
しかしながら、上記従来の液晶表示装置におけるＬＣＤの背面上端部には、図１に示すようにプリント基板ＸＲ、ＸＬ及びＣＯＦ群Ｘが存在する。このプリント基板ＸＲ、ＸＬ及びＣＯＦ群Ｘは、ソースドライバＩＣ群が複数本のソースラインを駆動する必要があるため、別の場所に移動させることもできない。そのため、上記従来の液晶表示装置においては、このプリント基板ＸＲ、ＸＬ及びＣＯＦ群Ｘの存在が障害となり、基板配置の制約上ＬＣＤの背面上端部に再生装置等を取り付けることができなかった。
【００１１】
本発明はこのような従来の課題を解決しようとするものであり、ＬＣＤの設置方向を上下逆さにして再生装置等を取り付け可能な空きスペースをＬＣＤの背面上端部に形成し、且つ新たなプリント基板を追加すること無く上下反転して表示することができる液晶表示装置を提供することを目的とする。
【課題を解決するための手段】
【００１２】
本発明の液晶表示装置は、前記課題を解決するために以下の構成を備えている。
【００１３】
（１）複数のゲートラインと複数のソースラインと前記両ラインに囲まれた複数の画素とを含む液晶パネルと、
前記液晶パネルの複数のゲートラインを駆動する複数のゲートドライバＩＣと、
前記液晶パネルの複数のソースラインを駆動する複数のソースドライバＩＣと、
全ゲートラインを１ラインずつ順次駆動して１ライン分のトランジスタ素子をオン状態にするよう前記ゲートドライバＩＣに指示し、オンされた前記トランジスタ素子を介して各画素に前記１ライン分の画像データを書き込むよう前記ソースドライバＩＣに指示するタイミングコントローラと、を備え、
前記タイミングコントローラは、前記液晶パネルの背面側下端部に配置されたプリント基板に実装されており、
前記複数のソースドライバＩＣは、前記液晶パネルの背面側下端部に配置された第一のフレキシブルプリント基板に実装されており、
前記複数のゲートドライバＩＣは、第二のフレキシブルプリント基板に実装されている、液晶表示装置において、
前記第二のフレキシブルプリント基板には、前記複数のゲートドライバＩＣをカスケードに接続する第一信号ラインと、全ゲートドライバＩＣの内、カスケード接続の終端位置にある終端ゲートドライバＩＣと前記タイミングコントローラとを直接連結する第二信号ラインと、が形成されており、
前記タイミングコントローラは、先頭のゲートラインをオンさせる１フレームの開始タイミングを示すスタートパルス信号を前記第二信号ラインを介して前記終端ゲートドライバＩＣに出力することを特徴とする。
【００１４】
この構成では、ＬＣＤモジュール（以下、ＬＣＤ）の設置方向を上下逆さにして設置した場面を想定している。ＬＣＤの設置方向を上下逆さにすると、ＬＣＤの背面における基板配置は、ＬＣＤ背面の下端部に上記第一のフレキシブルプリント基板および上記プリント基板が配置された状態となる。この基板配置では、ＬＣＤの背面の上端部に空きスペースが形成されるため、メディアに記録されている映像音声データを再生する再生装置等をこの空きスペースに取り付けることができる。
また、この基板配置において、上記スタートパルス信号が、設置方向が通常時に最初に入力する始端ゲートドライバＩＣでなく、終端ゲートドライバＩＣに最初に入力する。そのため、１フレームの映像も液晶パネルの画面上で上下反転した状態で表示される。また、この両信号の伝搬は、新たなプリント基板を追加すること無く、第二のフレキシブルプリント基板に、第一信号ラインおよび第二信号ラインを形成することで達成されている。よって、この配線パターンにより、新たなプリント基板を追加すること無く、１フレームの映像の上下を反転して表示することができる。
以上より、ＬＣＤの設置方向を上下逆さにして再生装置等を取り付け可能な空きスペースを背面上端部に形成し、且つ新たなプリント基板を追加すること無く上下反転して表示することができる。そのため、新たなプリント基板専用の材料を調達したり、新たなプリント基板を追加するための専用の製造工程を組まなくとも済むため、製造コストを削減することができる。
【００１５】
（２）前記第二のフレキシブルプリント基板には、全ゲートドライバＩＣの内、カスケード接続の始端位置にある始端ゲートドライバＩＣから前記終端ゲートドライバＩＣの方向へ、トランジスタ素子をオン状態にするゲートラインをシフトさせるタイミングを示すシフト信号を、伝播する第三信号ラインが形成されていることを特徴とする。
【００１６】
この構成では、シフト信号が、始端ゲートドライバＩＣから終端ゲートドライバＩＣの方向へ各ゲートドライバＩＣを伝播する。
【００１７】
（３）前記第一信号ラインは、前記終端ゲートドライバＩＣに入力された前記スタートパルス信号を、前記終端ゲートドライバＩＣから前記始端ゲートドライバＩＣの方向へ伝播するラインであることを特徴とする。
【００１８】
この構成では、スタートパルス信号とシフト信号とが、各ゲートドライバＩＣの接続方向に対して互いに逆方向に伝搬する。
【発明の効果】
【００１９】
この発明によれば、ＬＣＤの設置方向を上下逆さにして再生装置等を取り付け可能な空きスペースをＬＣＤの背面上端部に形成し、且つ新たなプリント基板を追加すること無く上下反転して表示することができる。
【図面の簡単な説明】
【００２０】
【図１】従来の液晶テレビジョンのＬＣＤ背面における基板配置図
【図２】本発明の実施形態である液晶テレビジョンの主要な構成を示すブロック図
【図３】本発明の実施形態である液晶テレビジョンのＬＣＤ背面における基板配置図
【図４】本発明の実施形態である液晶テレビジョンのゲートドライバ群の構成を示す図
【図５】本発明の実施形態である液晶テレビジョンのコントローラからゲートドライバ群又はソースドライバ群に入力する主要な信号の波形を示す図
【発明を実施するための形態】
【００２１】
以下、本発明の実施形態である液晶テレビジョンについて説明する。
【００２２】
図２は、本発明の実施形態である液晶テレビジョンの主要な構成を示すブロック図である。液晶テレビジョン１は、チューナ１０と、映像信号処理回路１２と、液晶ディスプレイ（ＬＣＤ）２６と、音声処理回路１６と、スピーカ１８と、電源回路２０と、整流回路２２と、インバータ回路２４と、を備える。
【００２３】
チューナ１０は、アンテナ１０ａを介して受信されるテレビ放送信号から、選択されているチャンネルのテレビ放送信号（映像音声信号）を抽出し、映像信号処理回路１２に出力する。受信するテレビ放送信号としてはアナログ放送であってディジタル放送であっても構わない。アナログのテレビ放送信号を受信すると、後述する映像信号処理回路１２にてＡ／Ｄ変換されてディジタル化される。
【００２４】
映像信号処理回路１２は、ディジタルで処理を行う１チップＩＣである。映像信号処理回路１２は、Ａ／Ｄ変換部と、ビデオデコーダ（Ｖ／Ｄ）と、スケーラと、タイミングコントローラ（Ｔcont）４とを備える。また、映像信号処理回路１２は、アナログのコンポジット信号が入力されるコンポジット端子や、ディジタルの映像音声信号が入出力可能なＨＤＭＩ（登録商標）端子１２ａを有する。
【００２５】
Ｖ／Ｄは、チューナ１０またはＨＤＭＩ（登録商標）端子１２ａから入力されるディジタルの映像音声信号から映像信号と音声信号の分離を行い、分離された音声信号を音声処理回路１６に出力するとともに、分離された映像信号からＲ，Ｇ，Ｂの３原色信号を復調する。また、Ｖ／Ｄは、ＲＧＢの映像信号に、色の濃さ調整、コントラスト調整、ＴＩＮＴ調整、ブライト調整、肌色補正等の色彩調整、白黒伸長調整、遅延調整、ガンマ補正、シャープネス調整、ノイズ除去、等の画質調整処理を行い、スケーラに出力する。スケーラは、連続するインターレース形式の映像信号をプログレッシブ形式の映像信号に変換し、入力されたディジタル映像信号を、液晶パネル５が有する画面の画素数（横縦比、ｍ：ｎ）に合致するようにスケーリング処理を行い、液晶パネル５に表示する１画面分の画像データを生成して、生成した画像データをＴcont４に出力する。Ｔcont４は、入力された画像データに基づいてパネル駆動信号（制御信号）を生成し、パネル駆動信号をドライバ回路１４に出力する。
【００２６】
ドライバ回路１４は、ＬＣＤ２６を構成する液晶パネル５のソースラインを駆動する複数のソースドライバＩＣと、液晶パネル５のゲートラインを駆動する複数のゲートドライバＩＣとで構成される。ドライバ回路１４は、画素の配列により構成された液晶パネル５の各画素をパネル駆動信号に基づいて駆動し、液晶パネル５の画面に画像データに基づく映像を表示させる。
【００２７】
音声処理回路１６は、ディジタル音声信号が入力されると、ディジタル音声信号をアナログ音声信号にＤ／Ａ変換する。さらに、音声処理回路１６は、同アナログ音声信号を内蔵のアンプにおいて増幅した後、スピーカ１８に出力して音声出力させる。
【００２８】
整流回路２２は、商用電源からＡＣケーブル２２ａを介してＡＣ電源電圧を入力して、このＡＣ電源電圧をＤＣ電源電圧に変換してインバータ回路２４および電源回路２０に供給する。電源回路２０は、整流回路２２から供給されたＤＣ電源電圧に基づいて各種電圧を生成し、インバータ回路２４を除く各回路へ供給する。
【００２９】
インバータ回路２４は、整流回路２２から供給されたＤＣ電源電圧を高周波の交流電圧に変換し、不図示のインバータハーネスを介して駆動信号としての交流電圧をＬＣＤ２６のバックライトに供給し、バックライトを点灯させる。
【００３０】
図３（a）は、ＬＣＤの背面における基板配置図であり、図３（b）は、ＬＣＤの設置方向を上下逆さにした時のＬＣＤの背面における基板配置図である。ここで、ＬＣＤ２６は、ＬＣＤモジュールであり、液晶パネル５と光源となるバックライトと該光を反射する反射板と反射板を覆う背面シャーシ６とを含む。
【００３１】
図３（a）（b）に示すＬＣＤ２６の背面（背面シャーシ６）は、液晶テレビジョン１のケーシングの一部を構成する背面キャビネットで覆われている。その背面キャビネットを外したＬＣＤ２６の背面シャーシ６には、ディジタル基板Ａと、電源基板Ｂと、インバータ基板Ｃと、プリント基板ＸＲ、ＸＬとが取り付けられている。以下、各基板の位置関係と、各基板に搭載される回路について図３（a）を用いて説明する。
【００３２】
電源基板Ｂは、整流回路２２と電源回路２０とを搭載し、ＬＣＤ２６背面の中央に配置されている。電源基板Ｂは、商用のＡＣ電源電圧をＤＣ電源電圧に変換し、そのＤＣ電源電圧に基づいて各種電源電圧を生成し、ディジタル基板Ａとインバータ基板Ｃ等の各回路に電源電圧を各ケーブルを介して供給する。ここで、ディジタル基板Ａは、電源基板Ｂとケーブル３２を介して接続されている。また、プリント基板ＸＲ、ＸＬは、互いにケーブル４３を介して接続されており、プリント基板ＸＬは、ディジタル基板Ａとケーブル４２を介して接続されている。また、インバータ基板Ｃは、電源基板Ｂとケーブル３１を介して接続されている。電源基板Ｂで生成された電源電圧は、ケーブル３２とディジタル基板Ａとケーブル４２とを経由してプリント基板ＸＬに入力する。さらに、この電源電圧は、プリント基板ＸＬからケーブル４３を介してプリント基板ＸＲにも入力する。そして、この電源電圧は、プリント基板ＸＲ、ＸＬからＣＯＦ（チップオンフィルム）群Ｘに、ＣＯＦ群Ｘの内の右端のＣＯＦから液晶セルに形成された配線を介してＣＯＦ群Ｙに、それぞれ供給される。
【００３３】
インバータ基板Ｃは、インバータ回路２４を搭載し、ＬＣＤ２６背面の左方に上下に長く配向して配置されている。
【００３４】
ディジタル基板Ａは、ＬＣＤ２６背面において右上側に配置されている。ディジタル基板Ａには、映像信号処理回路１２が搭載されており、ＨＤＭＩ端子１２ａと、コンポジット端子と、チューナ１０とが配置される。ディジタル基板Ａは、アンテナ１０ａを介して受信されるテレビ放送信号から、選択されているチャンネルのテレビ放送信号（映像音声信号）をチューナ１０で抽出する。さらに、ディジタル基板Ａは、チューナ１０又はＨＤＭＩ端子１２ａから入力される映像音声信号から映像信号と音声信号の分離を映像信号処理回路１２で行う。ディジタル基板Ａは、分離されたディジタルの音声信号をアナログの音声信号にＤ／Ａ変換し、スピーカ１８から音声出力させる。また、ディジタル基板Ａは、分離された映像信号に基づいて液晶パネル５の１画面分の画像データを生成し、その画像データに基づいてパネル駆動信号を生成する。ディジタル基板Ａは、生成したパネル駆動信号をケーブル４２を介してプリント基板ＸＬに出力する。このパネル駆動信号は、プリント基板ＸＬからケーブル４３を介してプリント基板ＸＲにも入力する。
【００３５】
プリント基板ＸＲ，ＸＬは、ＬＣＤ２６の背面上端部に配置されている。プリント基板ＸＲ，ＸＬは、液晶パネル５の縦方向に形成された複数本のソースラインを駆動する複数のソースドライバＩＣを搭載したＣＯＦ群Ｘと接続している。ＣＯＦ群Ｘの内の右端のＣＯＦは、液晶パネル５の横方向に形成された複数本のゲートラインを駆動する複数のゲートドライバＩＣを搭載したＣＯＦ群Ｙと接続している。即ち、ＣＯＦ群Ｘ及びＣＯＦ群Ｙは、ドライバ回路１４を搭載している。ＣＯＦ群Ｘ及びＣＯＦ群Ｙは、画素の配列により構成された液晶パネル５の各画素をパネル駆動信号に基づいて駆動し、液晶パネル５の画面に画像データに基づく映像を表示させる。
【００３６】
以上が本発明の実施形態である液晶テレビジョン１の基板配置に関する説明である。
【００３７】
ここで、ＬＣＤ２６の設置方向を上下逆さにすると、ＬＣＤ２６の背面における基板配置は、図３（b）に示す状態となる。図３（b）の基板配置では、ＬＣＤ２６の背面の上端部に空きスペースＳが形成されている。そのため、液晶テレビジョン１では、ＤＶＤ１００に記録されている映像音声データを再生する光ディスクドライブ１１０をこの空きスペースＳに取り付けることができる。さらに、図３（b）ではプリント基板ＸＲ、ＸＬが下端部に配置されているため、ＤＶＤ１００をセット可能な挿入口９１を液晶テレビジョン１のケーシングの上板９０に設けることができる。ユーザは、挿入口９１からＤＶＤ１００をセットできる。この実施形態では、光ディスクドライブ１１０が、ＨＤＭＩケーブル１１１を介してＨＤＭＩ端子１２ａに接続されており、ＤＶＤ１００から読み取った映像音声データをＨＤＭＩケーブル１１１を介してディジタル基板Ａの映像信号処理回路１２に入力する。これにより、その映像音声データに基づく映像が液晶パネル５で表示される。
【００３８】
しかしながら、ＬＣＤ２６の設置方向を上下逆さにすると、液晶パネル５に表示される上記映像も上下逆さになってしまう。そこで、この実施形態では、下記のように構成している。
【００３９】
図４に、本実施の形態の液晶テレビジョン１のＣＯＦ群Ｙの構成を示す。液晶テレビジョン１は、ゲートドライバＩＣを搭載したＣＯＦ群Ｙと、ゲートドライバＩＣ及びソースドライバＩＣに対して液晶駆動のために必要な信号を供給するタイミングコントローラ４と、ゲートドライバＩＣ及びソースドライバＩＣによって駆動される液晶パネル５と、を備える。
【００４０】
各ゲートドライバＧＤ１、ＧＤ２、…、ＧＤｍは、液晶パネル（表示素子）５のゲートライン（図示せず）を駆動する多出力数のＬＳＩチップである。各ゲートドライバＧＤ１、ＧＤ２、…、ＧＤｍは、ＬＳＩチップの各入出力端子と他の構成部品の電極とを接続するために、テープキャリアと呼ばれる絶縁フィルム上に微細間隔でレイアウトされた銅箔配線と、ＬＳＩチップの固定および防湿を目的とした封止樹脂とからなるＣＯＦ（チップオンフィルム）ｇｄ１、ｇｄ２、…、ｇｄｍに実装されている。
【００４１】
ゲートドライバＧＤ１、ＧＤ２、…、ＧＤｍは、それぞれＣＯＦｇｄ１、ｇｄ２、…、ｇｄｍに実装された状態で、コントローラ４から供給されるスタートパルス信号ＳＴＶやゲート用のクロック信号ＣＰＶなどの各種信号の入出力端子に対して縦続方向へカスケードに接続されている。縦続接続に用いられる各ＣＯＦの入力側のアウターリード端子は隣接するＣＯＦの入力側のアウターリード端子に接続されている。また、各ＣＯＦの出力側のアウターリード端子は、ゲートドライバＧＤ１、ＧＤ２、…、ＧＤｍのそれぞれから出力されるゲートパルス（駆動信号）のゲートラインへの引出し線として液晶パネル５に接続されている。
【００４２】
液晶パネル５は、液晶層を有してマトリクス状に配置された画素と、ＲＧＢの３色からなる画素を駆動するＴＦＴ（Thin Film Transistor：薄膜トランジスタ）とからなる。ＴＦＴのゲート電極には液晶パネル５で水平方向に配されたゲートラインがｐ本接続され、ソース電極には垂直方向に配されたソースラインが複数本接続されている（後述の図５参照）。
【００４３】
ＣＯＦｇｄ１、ｇｄ２、…、ｇｄｍのそれぞれには、信号ラインＳＬ、ＣＬ、ＲＬ、および電源ラインＶＤＤ、ＶＣＣ、ＧＮＤが形成されている。そして、信号ラインＳＬ、ＣＬ、ＲＬ、および電源ラインＶＤＤ、ＶＣＣ、ＧＮＤは、液晶駆動電源回路を含んだコントローラ４に接続されている。信号ラインＣＬは、ゲート用のクロック信号ＣＰＶ（clock pulse vertical）を伝搬するためのラインである。信号ラインＲＬは、ＬＣＤ２６を上下逆さに設置した時に、スタートパルス信号ＳＴＶ（start pulse vertical）をゲートドライバＧＤｍへ直接伝搬するためのラインであり、コントローラ４とゲートドライバＧＤｍとを直接連結する。信号ラインＳＬは、ＬＣＤ２６を上下逆さに設置した時に、ゲートドライバＧＤｍに入力したスタートパルス信号ＳＴＶを、ゲートドライバＧＤｍからゲートドライバＧＤ１の方向へ伝搬するためのラインである。一方、図３（a）に示すように正常な向きに設置した時のスタートパルス信号ＳＴＶは、ゲートドライバＧＤ１からゲートドライバＧＤｍの方向へ伝搬する。
なお、信号ラインＳＬが、本発明の「第一信号ライン」に相当する。また、信号ラインＲＬが、本発明の「第二信号ライン」に相当する。また、信号ラインＣＬが、本発明の「第三信号ライン」に相当する。また、クロック信号ＣＰＶが、本発明の「シフト信号」に相当する。また、ディジタル基板Ａが、本発明の「プリント基板」に相当する。また、ＣＯＦ群Ｘが、本発明の「第一のフレキシブルプリント基板」に相当する。また、ＣＯＦ群Ｙが、本発明の「第二のフレキシブルプリント基板」に相当する。また、ゲートドライバＧＤ１が、本発明の「始端ゲートドライバＩＣ」に相当する。また、ゲートドライバＧＤｍが、本発明の「終端ゲートドライバＩＣ」に相当する。
【００４４】
図５は、コントローラ４からゲートドライバＩＣ群又は各ソースドライバＩＣ群に入力する主要な信号の波形を示す図である。同図においては、１選択期間を拡大して、ＣＬＫ及びＤＡＴＡを示している。１フレームは、通常６０〜７０Ｈｚである。
【００４５】
コントローラ４からゲートドライバＧＤ１、ＧＤ２、…、ＧＤｍに供給される制御信号は、ゲート用のクロック信号ＣＰＶ（clock pulse vertical）、及びスタートパルス信号ＳＴＶ（start pulse vertical）を含む。ゲート用のクロック信号ＣＰＶは、信号の立ち上がりに同期して駆動するゲートラインを１ラインずつシフトさせるための同期信号であり、ゲートがオンになる横方向１ライン分のＴＦＴを信号の立ち上がりに同期して１ラインずつ縦方向にシフトさせることに相当する。ゲートドライバＧ１、Ｇ２、…、Ｇｍは、クロック信号ＣＰＶのレベルがＬｏｗレベルからＨｉレベルに変化した時、１ライン分のＴＦＴをオン状態にする。スタートパルス信号ＳＴＶは、先頭のゲートラインをオンさせるタイミングを指定する同期信号であり、１フレームの開始タイミングを示す。
コントローラ４からソースドライバＩＣ群に供給される制御信号は、ドットクロック信号ＣＬＫ、及びラッチパルスＬＰを含む。ドットクロック信号ＣＬＫは、表示データＤＡＴＡを液晶パネル５に出力するための同期信号である。各ソースドライバＩＣは、表示データＤＡＴＡを、ドットクロック信号ＣＬＫに同期して液晶パネル５に出力する。ラッチパルスＬＰは、各ラインの表示データＤＡＴＡを液晶パネル５に出力するタイミングを示す信号である。各ソースドライバＩＣは、ラッチパルスＬＰの立ち上がりに同期して、オンされたＴＦＴを介して各画素に１ライン分の画像データＤＡＴＡを書き込む。
【００４６】
なお、液晶パネル５の画面上にデータ表示する際には、ゲートドライバＧＤ１、ＧＤ２、…、ＧＤｍによりゲートラインを１ラインずつ順次駆動して１ライン分のＴＦＴを導通状態にし、導通されたＴＦＴを介して、ソースドライバから各画素に横１ライン分のデータを一斉に書き込む。
【００４７】
図４に戻り、ゲート用のクロック信号ＣＰＶ、および電源電圧は、ゲートドライバＧＤ１からゲートドライバＧＤｍの方向へ伝搬されるようになっている。一方、スタートパルス信号ＳＴＶは、ＬＣＤ２６を上下逆さに設置した時に、ゲートドライバＧＤｍからゲートドライバＧＤ１の方向へ伝搬されるようになっている。
【００４８】
このように、本実施形態の液晶テレビジョン１では、スタートパルス信号ＳＴＶと、ゲート用のクロック信号ＣＰＶとが、各ゲートドライバＧＤ１、ＧＤ２、…、ＧＤｍの縦続接続方向に対して互いに逆方向に伝搬させている。これにより、１フレームの映像も液晶パネル５の画面上で上下反転した状態で表示される。また、この両信号の伝搬は、新たなプリント基板を追加すること無く、各ＣＯＦｇｄ１、ｇｄ２、…、ｇｄｍに、信号ラインＣＬ、ＲＬ、ＳＬを形成することで達成されている。従って、本実施形態の液晶テレビジョン１では、新たなプリント基板を追加すること無く、１フレームの映像の上下を反転して表示することができる。
【００４９】
以上より、本実施形態の液晶テレビジョン１では、ＬＣＤ２６の設置方向を上下逆さにして再生装置等を取り付け可能な空きスペースＳを背面上端部に形成し、且つ新たなプリント基板を追加すること無く上下反転して表示することができる。そのため、新たなプリント基板専用の材料を調達したり、新たなプリント基板を追加するための専用の製造工程を組まなくとも済むため、製造コストを削減することができる。
【符号の説明】
【００５０】
１…液晶テレビジョン
４…タイミングコントローラ
５…液晶パネル
６…ＬＣＤ
１０…チューナ
１０ａ…アンテナ
１２…映像信号処理回路
１２ａ…ＨＤＭＩ端子
１４…ドライバ回路
１６…音声処理回路
１８…スピーカ
２０…電源回路
２２…整流回路
２２ａ…ＡＣケーブル
２４…インバータ回路
２６…ＬＣＤ
３１…ケーブル
３２…ケーブル
４１…ケーブル
４２…ケーブル
４３…ケーブル
９０…ケーシング上板
９１…挿入口
１００…ＤＶＤ
１１０…光ディスクドライブ
１１１…ＨＤＭＩケーブル
Ａ…ディジタル基板
Ｂ…電源基板
Ｃ…インバータ基板
ＸＲ，ＸＬ…プリント基板
Ｘ、Ｙ…ＣＯＦ群
ＧＤ１、・・・、ＧＤｍ…ゲートドライバ
ｇｄ１、・・・、ｇｄｍ…ＣＯＦ
【図１】
2010286529.tif 000003
【図２】
2010286529.tif 000004
【図３】
2010286529.tif 000005
【図４】
2010286529.tif 000006
【図５】
2010286529.tif 000007